(57)【要約】      （修正有）【課題】溶液を塗抹する作業が行いやすくなる溶液ボトルを提供する。【解決手段】溶液ボトルは、溶液ボトル本体及び塗布ヘッドを備える。溶液ボトル本体は、ボトル部１１と、外側スリーブ１２と、内側スリーブ１３とを更に含む。ボトル部１１の内部にはスプレー缶３が設置され、外側スリーブ１２はボトル部１１の上方の開口箇所に設置され、内側スリーブ１３は対応するように滑動形態で外側スリーブ１２の内側に設置される。また、内側スリーブ１３の底部にはスプレー缶３のノズルに継合される出口１５を有し、内側スリーブ１３の上方に塗布ヘッドを納置させるための溝部１６を設ける。これにより、塗布ヘッドが押されると、内側スリーブ１３が外側スリーブ１２に対して移動することによりスプレー缶３のノズルが押され、溶液が出口１５から溝部１６に注入され、塗布ヘッドに溶液が付着し、使用者が塗布ヘッドを使用して溶液を塗抹する作業が行いやすくなる。【選択図】図２
0003212377.tif 000002
【実用新案登録請求の範囲】
【請求項１】
溶液ボトル本体及び塗布ヘッドを備える溶液ボトルであって、
前記溶液ボトル本体は、ボトル部と、外側スリーブと、内側スリーブとを更に含み、前記ボトル部の内部にはスプレー缶を設置させるための充填空間を有し、前記外側スリーブは前記ボトル部の上方の開口箇所に構設され、前記内側スリーブは対応するように滑動形態で前記外側スリーブの内側に設置され、前記内側スリーブの底部には前記スプレー缶のノズルに継合される出口を有し、前記内側スリーブの上方は前記塗布ヘッドを納置させるための溝部であり、前記出口は前記溝部に連通され、
前記塗布ヘッドは、上部サドルと、下部サドルと、バイブレーターと、導電リングと、金属製弾性板と、押板とを備え、前記上部サドル及び前記下部サドルは相互に覆設され、且つ前記下部サドルは前記上部サドルに対して伸縮移動を行い、前記バイブレーター、前記導電リング、前記金属製弾性板及び前記押板は前記上部サドル及び前記下部サドルの内部に装設され、前記上部サドルには前記金属製弾性板に電気的に接続される電池が設置され、前記導電リングは前記バイブレーターに電気的に接続され、前記金属製弾性板は隙間形態を保留させて前記導電リングに対応するように平行し、前記押板は前記金属製弾性板と前記下部サドルとの間に設置され、前記押板には前記金属製弾性板を押圧させて変形させた後に前記導電リングに接触させるための凸部が設けられることを特徴とする溶液ボトル。
【請求項２】
前記内側スリーブの外径には位置決め用リブが巻回するように形成され、前記外側スリーブの内縁箇所には前記位置決め用リブに対して可動に配置される制限用環状溝を有することを特徴とする、請求項１に記載の溶液ボトル。
【請求項３】
前記上部サドルは回転キャップと、外側リングと、内側リングと、保持ディスクと、底板とを備え、前記外側リングは前記内側リングの上方の外径箇所に周設され、前記内側リングの上半部及び下半部には電池及びバイブレーターがそれぞれ納置され、且つ前記回転キャップは前記外側リングの上方の開口箇所に設置されると共に前記電池を閉じる形態を呈し、前記保持ディスクは前記内側リングの下方に設置され、且つ前記導電リング及び前記金属製弾性板は前記保持ディスクの上面及び下面にそれぞれ設置され、前記保持ディスクには前記金属製弾性板を前記導電リングに接触させるためのスルーホールが開設され、前記底板は前記保持ディスクの下方に設置され、前記押板は前記底板と前記下部サドルとの間に位置され、且つ前記底板は凸部を通過させて前記金属製弾性板を圧迫させるための開口部を有し、前記内側リングの外径にはリブが巻回するように形成され、前記下部サドルの上方の内縁箇所には前記リブに対して可動に配置される内側環状溝を有することを特徴とする、請求項１に記載の溶液ボトル。
【考案の詳細な説明】
【技術分野】
【０００１】
本考案は、溶液ボトル構成に関し、より詳しくは、スプレー式化粧品や薬剤が充填される溶液ボトルであり、且つ前記溶液ボトルには塗布ヘッド構造が付設され、溶液が事前にその表面に噴霧され、使用者が後続の塗布作業を行いやすくなる溶液ボトル構成に関する。
【背景技術】
【０００２】
一般的な消費者が顔や他の部位に溶液を使用する場合、溶液を使用者の手にとり、顔等の塗布したい部位に塗布する。その後に手で顔に揉み込むが、手で揉むことで達成されるマッサージ効果には限界があった。通常使用者がマッサージ効果を得たい場合、マッサージ棒を使用してマッサージを行い、溶液の吸収速度を速め、顔の保養効果を達成させる。然しながら、マッサージ棒を追加するとコストが増加するため、その対策としてボール溶液ボトルが誕生した。
【０００３】
従来の特許文献１では、例えば、ボール溶液ボトルこと考案が記載されている。主にボトル部と、ポンプと、ボール台座とを備える。ボトル部の上端の外周縁にはねじ山が設けられる。ポンプはボトル部のねじ山に螺着され、前記ポンプの上端には凹型収容室が設置され、前記凹型収容室からは上に向けて内管が延設される。ボール台座は台座体内にスルーホールが設けられ、ポンプの内管が貫設されて固結される。台座体は出口段に向けて溶液室が設置され、前記溶液室は出口段の出口端に向けて位置限定基部、ボール及び外蓋が覆設される。
【先行技術文献】
【特許文献】
【０００４】
【特許文献１】台湾実用新案第３９６０４２号公報
【考案の概要】
【考案が解決しようとする課題】
【０００５】
しかしながら、前述した従来の技術では、すなわち、従来のボール溶液ボトルは塗布機能を有するボールを備えるが、但しボール式溶液ボトルに充填可能な溶液は一般的な液体溶液に限られる。現在市場では溶液がスプレー缶方式で填充されるものが増え続けており、ボール式溶液ボトルではこれを使用できなかった。
【０００６】
従来のボール溶液ボトルはスプレー缶に応用できないという欠点を鑑み、本考案者は長年相関する産業での開発に従事してきた経験から、従来の溶液ボトルが直面する問題を深く検討し、積極的に解決の道を探ってきた。長年の研究開発の努力の結果、溶液ボトル構成を創作するに至った。これはスプレー式化粧品や薬剤の充填が可能な溶液ボトルであり、且つ前記溶液ボトルには塗布ヘッド構造が付設され、溶液がその表面に事前に噴霧され、使用者が後続の塗布作業に応用できる。
【０００７】
本考案は、このような従来の問題に鑑みてなされたものである。上記課題解決のため、本考案は、溶液ボトル構成を提供することを主目的とする。すなわち、スプレー式化粧品や薬剤の充填が可能な溶液ボトルであり、且つ前記溶液ボトルには塗布ヘッド構造がされ、溶液がその表面に事前に噴霧され、使用者が後続の塗布作業を行いやすくなる。
【課題を解決するための手段】
【０００８】
上述した課題を解決し、上記目的を達成するため、本考案に係る溶液ボトル構成の特徴は、溶液ボトル本体及び塗布ヘッドを備え、前記溶液ボトル本体はボトル部と、外側スリーブと、内側スリーブとを含む。前記ボトル部の内部にはスプレー缶を設置させるための充填空間を有し、前記外側スリーブはボトル部の上方の開口箇所に構設される。前記内側スリーブは対応するように滑動形態で外側スリーブの内側に設置される。前記内側スリーブの底部にはスプレー缶のノズルに継合される出口を有し、内側スリーブの上方は塗布ヘッドが納置される溝部であり、前記出口は溝部に連通される。
【０００９】
これにより、塗布ヘッドが押されると、内側スリーブが外側スリーブに対して移動することによりスプレー缶のノズルが押され、溶液が出口から溝部に注入されて塗布ヘッドに溶液が付着される。これにより、使用者が塗布ヘッドにより溶液を塗布する作業が容易になる。
【００１０】
前述の塗布ヘッドは上部サドルと、下部サドルと、バイブレーターと、導電リングと、金属製弾性板と、押板とを備える。前記上部サドル及び前記下部サドルは相互に覆設され、且つ前記下部サドルは前記上部サドルに対して伸縮移動を行う。前記バイブレーター、前記導電リング、前記金属製弾性板及び前記押板は前記上部サドル及び前記下部サドルの内部に装設され、前記上部サドルには前記金属製弾性板に電気的に接続される電池が設置される。前記導電リングは前記バイブレーターに電気的に接続され、前記金属製弾性板は隙間形態を保留させて前記導電リングに対応するように平行する。前記押板は前記金属製弾性板と前記下部サドルとの間に設置され、前記押板には前記金属製弾性板を押圧させて変形させた後に前記導電リングに接触させる。
【００１１】
これにより、使用者が下部サドルの表面に溶液を付着させて肌に塗布すると、前記下部サドルが上部サドルに対して収縮し、押板が連動されてその凸部により金属製弾性板が圧迫される。前記金属製弾性板は受力すると変形して導電リングに接触し、電池及びバイブレーターの回路が導通され、バイブレーターが作動して使用者に対してマッサージ方式で塗布させる効果が得られる。
【００１２】
好ましくは、前述の内側スリーブの外径には位置決め用リブが巻回するように形成される。前記外側スリーブの内縁箇所には位置決め用リブに対して可動に配置される制限用環状溝を有する。
【００１３】
好ましくは、前述の上部サドルは回転キャップと、外側リングと、内側リングと、保持ディスクと、底板とを備える。前記外側リングは前記内側リングの上方の外径箇所に周設され、前記内側リングの上半部及び下半部には電池及びバイブレーターがそれぞれ納置される。前記回転キャップは前記外側リングの上方の開口箇所に設置されると共に前記電池を閉じる形態を呈する。前記保持ディスクは前記内側リングの下方に設置され、且つ前記導電リング及び前記金属製弾性板は前記保持ディスクの上面及び下面にそれぞれ設置される。前記保持ディスクには前記金属製弾性板を前記導電リングに接触させるためのスルーホールが開設される。前記底板は前記保持ディスクの下方に設置され、前記押板は前記底板と前記下部サドルとの間に位置される。前記底板は凸部を通過させて前記金属製弾性板を圧迫させるための開口部を有する。前記内側リングの外径にはリブが巻回するように形成され、前記下部サドルの上方の内縁箇所には前記リブに対して可動に配置される内側環状溝を有する。
【考案の効果】
【００１４】
前述した内容から分かるように、本考案に係る溶液ボトルは特にスプレー缶式溶液の塗布作業に適用される。溶液は先ず塗布ヘッドの表面に噴霧され、使用者の後続の塗布作業に使用される。また、前記塗布ヘッドは使用者に薬剤や化粧品等の溶液を塗布するために使用できるほか、振動マッサージ効果も提供する。使用者は切替スイッチ方式で塗布ヘッドを起動させる必要が無く、塗布したい場合は塗布ヘッドを押すのみで自動的に起動し、使用者による操作が簡単になる効果も有する。よって、本考案は高い実用性及び進歩性を有する考案であり、産業界が推進し、社会一般に広く公知する価値がある。
【図面の簡単な説明】
【００１５】
【図１】本考案の好ましい実施形態に係る溶液ボトルを説明する外観斜視図である。
【図２】本考案の好ましい実施形態に係る溶液ボトルを説明する展開図である。
【図３】本考案のボトル部が圧縮されない断面図である。
【図４】本考案のボトル部が圧縮された断面図である。
【図５】本考案の塗布ヘッドを説明する展開図である。
【図６】本考案の下部サドルが上部サドルに対応されない断面図である。
【図７】図６の部分拡大断面図である。
【図８】本考案の下部サドルが上部サドルに対応された断面図である。
【図９】図８の部分拡大断面図である。
【考案を実施するための形態】
【００１６】
本考案における好適な実施の形態について、添付図面を参照して説明する。尚、以下に説明する実施の形態は、特許請求の範囲に記載された本考案の内容を限定するものではない。また、以下に説明される構成の全てが、本考案の必須要件であるとは限らない。
【実施形態】
【００１７】
以下に、図１〜９を参照しながら、本考案をさらに詳しく説明する。本考案はスプレー式化粧品や薬剤を充填させる溶液ボトル構成に関し、前記溶液ボトルには塗布ヘッド構造が付設され、溶液がその表面に事前に噴霧され、使用者が後続の塗布作業を行いやすくなる。なお、本考案に係る「溶液ボトル」は溶液ボトル本体１及び塗布ヘッド２を備える（図１乃至図４参照）。
【００１８】
前記溶液ボトル本体１はボトル部１１と、外側スリーブ１２と、内側スリーブ１３とを備える。前記ボトル部１１の内部にはスプレー缶３を設置させるための充填空間１４を有する。本考案のボトル部１１は閉鎖式を実施形態の例とするが、実務においてはボトル部１１についてスプレー缶３を交換可能な開放式として設計してもよい。前記外側スリーブ１２はボトル部１１の上方の開口箇所に構設され、前記内側スリーブ１３は対応するように滑動形態で外側スリーブ１２の内側に設置される。前記内側スリーブ１３の底部にはスプレー缶３のノズルに継合される出口１５を有し、内側スリーブ１３の上方は塗布ヘッド２を納置させるための溝部１６であり、前記出口１５は溝部１６に連通される。
【００１９】
これにより、塗布ヘッド２が押されると、内側スリーブ１３が外側スリーブ１２に対して移動することによりスプレー缶３のノズルが押され、溶液が出口１５から溝部１６に注入される。塗布ヘッド２に溶液が付着し、使用者が塗布ヘッド２を使用して溶液を塗布する作業が行いやすくなる。
【００２０】
更に詳しくは、前記内側スリーブ１３の外径には位置決め用リブ１７が巻回するように形成され、前記外側スリーブ１２の内縁箇所には位置決め用リブ１７に対して可動に配置される制限用環状溝１８を有する。このため、位置決め用リブ１７及び制限用環状溝１８の配置効果により、内側スリーブ１３が有限の距離内で安定的に外側スリーブ１２上を移動する。
【００２１】
さらに、図５に示すように、前記塗布ヘッド２は上部サドル２１と、下部サドル２２と、バイブレーター２３と、導電リング２４と、金属製弾性板２５と、押板２６とを備える。前記上部サドル２１及び下部サドル２２は相互に覆設され、且つ前記下部サドル２２は上部サドル２１に対して伸縮移動を行う。前記バイブレーター２３、導電リング２４、金属製弾性板２５及び押板２６は上部サドル２１及び下部サドル２２の内部に装設され、前記上部サドル２１には金属製弾性板２５に電気的に接続される電池２１１が設置される。前記導電リング２４はバイブレーター２３に電気的に接続され、前記金属製弾性板２５は隙間形態を保留させて導電リング２４に対応するように平行する。前記押板２６は金属製弾性板２５と下部サドル２２との間に設置され、前記押板２６には金属製弾性板２５を圧迫させて変形させた後に導電リング２４に接触させるための凸部２６１が設けられる。
【００２２】
なお、図６乃至図９に示すように、使用者が下部サドル２２の表面に溶液を付着させて肌に塗布する場合、前記下部サドル２２が上部サドル２１に対して収縮を行い、押板２６が連動されてその凸部２６１が金属製弾性板２５を圧迫させ、前記金属製弾性板２５が受力して変形することにより導電リング２４に接触させ、電池２１１及びバイブレーター２３の回路が導通され、バイブレーター２３が作動して使用者に対してマッサージ方式で塗布させる効果が得られる。
【００２３】
具体的な構造は図５に示されるように、上部サドル２１は回転キャップ２１２と、外側リング２１３と、内側リング２１４と、保持ディスク２１５と、底板２１６とを備える。前記外側リング２１３は内側リング２１４の上方の外径箇所に周設され、前記内側リング２１４の上半部及び下半部には電池２１１及びバイブレーター２３がそれぞれ納置される。前記回転キャップ２１２は外側リング２１３の上方の開口箇所に設置されると共に電池２１１を閉じる形態を呈し、回転キャップ２１２、外側リング２１３及び内側リング２１４により電池２１１を閉じる電池室が形成される。回転キャップ２１２は外側リング２１３を分離させて電池を交換させるために用いられる。
【００２４】
前記保持ディスク２１５は内側リング２１５の下方に設置され、且つ前記導電リング２４及び金属製弾性板２５は保持ディスク２１５の上面及び下面にそれぞれ設置される。前記保持ディスク２１５には金属製弾性板２５を導電リング２４に接触させるためのスルーホール２１５１が開設される。前記保持ディスク２１５は常態では導電リング２４及び金属製弾性板２５が隙間を保持させ、且つバイブレーター２３及び導電リング２４が内側リング２１４の底部の位置に封止されるように設置される。前記底板２１６は保持ディスク２１５の下方に設置され、前記押板２６は底板２１６と下部サドル２２との間に位置され、且つ前記底板２１６は凸部２６１を通過させて金属製弾性板２５を圧迫させるための開口部２１６１を有する。底板２１６及び保持ディスク２１５の底面の配置は金属製弾性板２５を狭装させて固定させる効果を提供し、金属製弾性板２５の周縁が固定形態を呈し、中心部で受力して圧迫されると変形する。前記内側リング２１４の外径にはリブ２１４１が巻回するように形成される。前記下部サドル２２の上方の内縁箇所にはリブ２１４１に対して可動に配置される内側環状溝２２１を有し、前記内側環状溝２２１及びリブ２１４１により下部サドル２２が上部サドル２１に対して脱離しない状態で伸縮する。
【００２５】
前述の内容から分かるように、本考案に係る溶液ボトルは特にスプレー缶式溶液の塗布作業に適用される。溶液が先ず塗布ヘッドの表面に噴霧され、使用者が後続の塗布作業を行いやすくなる。また、前記塗布ヘッドは使用者が薬剤や化粧品等の溶液を塗布できるようにする以外、振動式マッサージ効果も提供する。使用者は切替スイッチ方式で塗布ヘッドを起動させる必要が無く、塗布時に塗布ヘッドを圧迫させるのみで自動で起動し、使用者による操作を便利にする効果を提供する。
【００２６】
以上、本考案の実施形態について図面を参照して詳述したが、具体的な構成はこの実施形態に限られるものではなく、本考案の要旨を逸脱しない範囲の設計変更等も含まれる。
【符号の説明】
【００２７】
１  溶液ボトル本体
１１  ボトル部
１２  外側スリーブ
１３  内側スリーブ
１４  充填空間
１５  出口
１６  溝部
１７  位置決め用リブ
１８  制限用環状溝
２１  上部サドル
２１１  電池
２１２  回転キャップ
２１３  外側リング
２１４  内側リング
２１４１  リブ
２１５  保持ディスク
２１５１  スルーホール
２１６  底板
２１６１  開口部
２２  下部サドル
２２１  内側環状溝
２３  バイブレーター
２４  導電リング
２５  金属製弾性板
２６  押板
２６１  凸部
３  スプレー缶
【図１】
0003212377.tif 000003
【図２】
0003212377.tif 000004
【図３】
0003212377.tif 000005
【図４】
0003212377.tif 000006
【図５】
0003212377.tif 000007
【図６】
0003212377.tif 000008
【図７】
0003212377.tif 000009
【図８】
0003212377.tif 000010
【図９】
0003212377.tif 000011